【手続補正書】
【提出日】平成28年5月11日(2016.5.11)
【手続補正１】
【補正対象書類名】特許請求の範囲
【補正対象項目名】全文
【補正方法】変更
【補正の内容】
【特許請求の範囲】
【請求項１】
被験者の心拍コヒーレンスを改善するためのシステムにおいて、前記システムは、
前記被験者の気道に送るための加圧した呼吸可能なガス流を生成するように構成される圧力発生器、
ｉ）前記加圧した呼吸可能なガス流の１つ以上のガスパラメタ、及び
ｉｉ）前記被験者の心拍
に関する情報を搬送する出力信号を生成するように構成されるセンサ、並びに
処理モジュールを実行するように構成される１つ以上の処理器
を有し、前記処理モジュールは、
呼吸位相の間の遷移を促す呼吸の合図を前記被験者に与えるために、前記加圧した呼吸可能なガス流の１つ以上のガスパラメタのレベルを調節するように構成される制御モジュール、
前記生成した出力信号に基づいて前記被験者の呼吸速度及び呼吸位相を決定するように構成される呼吸パラメタ決定モジュール、
前記被験者の心拍変動を決定するように構成される冠動脈パラメタ決定モジュールであり、前記心拍変動は前記被験者の心拍に基づいている、前記冠動脈パラメタ決定モジュール、及び
前記心拍変動が前記被験者の呼吸速度及び呼吸位相と位相合わせされる、標的呼吸速度の範囲及び標的呼吸位相を決定するように構成される標的モジュール
を有し、前記制御モジュールは、前記決定した標的呼吸位相に従って及び前記決定した標的呼吸速度の範囲内において、前記被験者に呼吸を誘導するように前記加圧した呼吸可能なガス流の１つ以上のガスパラメタのレベルを調節する、システム。
【請求項２】
前記呼吸速度を呼吸周波数分布に変換するように構成されと共に、さらに前記心拍を心臓周波数分布に変換するようにも構成される領域変換モジュールをさらに有する請求項１に記載のシステムにおいて、
前記呼吸パラメタ決定モジュールはさらに、前記呼吸周波数分布の基本周波数を決定するように構成され、
前記冠動脈パラメタ決定モジュールはさらに、前記被験者の心拍コヒーレンスを決定するように構成され、前記心拍コヒーレンスは、前記呼吸周波数分布の前記基本周波数における前記心臓周波数分布のエネルギー振幅に関する係数の大きさに基づき、及び前記制御モジュールによる調節は、前記被験者の心拍コヒーレンスが増大するように、前記被験者に呼吸を誘導する、システム。
【請求項３】
前記標的モジュールはさらに、前記標的呼吸速度の範囲内にある標的呼吸速度を決定するように構成され、前記標的モジュールはさらに、前記標的呼吸速度の範囲内にある前記標的呼吸速度の変更が前記心拍変動の増大に対応しているかを決定するために構成される、請求項１に記載のシステム。
【請求項４】
前記制御モジュールによる調節は、前記被験者の心拍変動が増大するように前記被験者に呼吸を誘導する、請求項３に記載のシステム。
【請求項５】
前記センサはさらに、血圧、酸素飽和パラメタ、脳活動のレベル及び/又は心臓機能の１つ以上を含む１つ以上の生理学的パラメタに関する情報を搬送する１つ以上の出力信号を生成するように構成され、前記標的モジュールはさらに、前記１つ以上の生理学的パラメタに対し１つ以上の標的レベルを決定するように構成され、並びに前記制御モジュールは、前記１つ以上の生理学的パラメタが前記１つ以上の標的レベルとより密接に合致するように影響が及ぼされるような方法で前記被験者に呼吸を誘導するように、前記加圧した呼吸可能なガスの１つ以上のパラメタのレベルを調節する、請求項１に記載のシステム。
【請求項６】
標的呼吸速度の範囲及び標的呼吸位相を決定するための方法であって、前記方法は、圧力発生器及びセンサを含むシステムにおいて実施され、前記方法は、
被験者の気道に送られる加圧した呼吸可能なガス流の１つ以上のガスパラメタに関する情報を搬送する出力信号を生成するステップ、
前記被験者の心拍に関する情報を搬送する信号を生成するステップ、
前記加圧した呼吸可能なガス流の１つ以上のガスパラメタのレベルの調節を決定するステップであって、前記調節は、前記被験者に呼吸位相の間の遷移を促す呼吸の合図を前記被験者に与える前記ステップ、
前記生成した出力信号に基づいて前記被験者の呼吸速度及び呼吸位相を決定するステップ、
前記被験者の呼吸変動を決定するステップであり、前記心拍変動は前記被験者の心拍に基づいている、ステップ、並びに
前記心拍変動が前記被験者の呼吸速度及び呼吸位相と位相合わせされる、標的呼吸速度の範囲及び標的呼吸位相を決定するステップ
を有し、前記加圧した呼吸可能なガス流の１つ以上のガスパラメタのレベルの前記調節は、前記決定した標的呼吸位相及び前記決定した標的呼吸速度の範囲に従っている、方法。
【請求項７】
前記呼吸速度を呼吸周波数分布に変換するステップ、
前記心拍を心臓周波数分布に変換するステップ、
前記呼吸周波数分布の基本周波数を決定するステップ、
前記被験者の心拍コヒーレンスを決定するステップであり、前記心拍コヒーレンスは、前記呼吸周波数分布の前記基本周波数における、前記心臓周波数分布のエネルギー振幅に関する係数の大きさに基づいている、ステップ、並びに
前記標的呼吸速度の範囲内にある標的呼吸速度の変更が前記心拍コヒーレンスの増大に対応しているかを決定するステップ
をさらに有する請求項６に記載の方法において、前記加圧した呼吸可能なガス流の前記１つ以上のガスパラメタのレベルの前記調節は、前記被験者の心拍コヒーレンスの増大に従っている、方法。
【請求項８】
前記標的呼吸速度の範囲内にある標的呼吸速度の変更が前記心拍変動の増大に対応しているかを決定するステップ、及び
前記決定に応答して、前記被験者の心拍変動の増大に従って、前記１つ以上のガスパラメタのレベルの調節を決定するステップ
をさらに有する請求項６に記載の方法。
【請求項９】
血圧、酸素飽和パラメタ、脳活動のレベル及び/又は心臓機能の１つ以上を含む１つ以上の生理学的パラメタに関する情報を搬送する１つ以上の出力信号を生成するステップ、並びに
前記１つ以上の整理科学的パラメタに対する１つ以上の標的レベルを決定するステップ
をさらに有する請求項６に記載の方法において、前記加圧した呼吸可能なガス流の１つ以上のガスパラメタのレベルの前記調節は、前記１つ以上の生理学的パラメタにおける１又は複数の変化が前記１つ以上の標的レベルとより密接に合致するように影響を与える、方法。
【請求項１０】
前記心拍のピークと吸気流速のピークとが既定の時間期間よりも離れていないとの決定に応答して、前記心拍変動は呼吸位相と位相合わせされる、請求項６に記載の方法。
【請求項１１】
心拍コヒーレンスを改善するためのシステムにおいて、前記システムは、
被験者の気道に送るための加圧した呼吸可能なガス流を生成する手段、  前記加圧した呼吸可能なガス流の１つ以上のパラメタ及び被験者の心拍に関する情報を搬送する出力信号を生成する手段、
前記被験者に呼吸位相の間の遷移を促す呼吸の合図を前記被験者に与えるために、前記加圧した呼吸可能なガス流の１つ以上のガスパラメタのレベルを調節する手段、
前記生成した出力信号に基づいて前記被験者の呼吸速度及び呼吸位相を決定する手段、
前記被験者に対する心拍変動を決定する手段であり、前記心拍変動は前記被験者の心拍に基づいている、手段、並びに
前記心拍変動が前記被験者の呼吸速度及び呼吸位相と位相合わせされる、標的呼吸速度の範囲及び標的呼吸位相を調節する手段
を有し、前記１つ以上のガスパラメタのレベルを調節する手段は、前記決定した標的呼吸位相に従って及び前記決定した標的呼吸速度の範囲内において、前記被験者に呼吸同誘導する、システム。
【請求項１２】
前記呼吸速度を呼吸周波数分布に変換する手段、
前記心拍を心臓周波数分布に変換する手段、
前記呼吸周波数分布の基本周波数を決定する手段、
前記被験者の心拍コヒーレンスを決定する手段であり、前記心拍コヒーレンスは、前記呼吸周波数分布の基本周波数において、前記心臓周波数分布のエネルギー振幅に関する係数の大きさに基づいている、手段、並びに
前記標的呼吸速度の範囲内にある標的呼吸速度の変更が前記心拍コヒーレンスの増大に対応しているかを決定する手段
をさらに有する請求項１１に記載のシステムにおいて、前記１つ以上のガスパラメタのレベルを調節する手段は、前記被験者の心拍コヒーレンスが増大するように、前記被験者に呼吸を誘導する、システム。
【請求項１３】
前記標的呼吸速度の範囲内にある標的呼吸速度の変更が前記心拍変動の増大に対応しているかを決定する手段
をさらに有する請求項１１に記載のシステムにおいて、前記１つ以上のガスパラメタのレベルを調節する手段は、前記被験者の心拍変動が増大するように、前記被験者に呼吸を誘導する、システム。
【請求項１４】
血圧、酸素飽和パラメタ、脳活動のレベル及び/又は心臓機能の１つ以上を含む１つ以上の生理学的パラメタに関する情報を搬送する１つ以上の出力信号を生成する手段、並びに
前記１つ以上の生理学的パラメタに対する１つ以上の標的レベルを決定する手段
をさらに有する請求項１１に記載のシステムにおいて、前記１つ以上のガスパラメタのレベルを調節する手段は、前記１つ以上の生理学的パラメタが前記１つ以上の標的レベルとより密接に合致するように影響が及ぼされるような方法で前記被験者に呼吸を誘導する、システム。
【請求項１５】
前記心拍のピークと吸気流速のピークとが既定の時間期間よりも離れていないとの決定に応答して、前記心拍変動は呼吸位相と位相合わせされる、請求項１１に記載のシステム。